(57)【要約】【課題】磁石などがドアの表面に突出しないでドア内部に収納することができ、取り付け後であっても、ドアと床との間隙のバラツキに柔軟に対応する。【解決手段】床面に固定された台座と、磁性体からなり、前記台座に上下に揺動自在に取り付けられたプレートと、ドアに固定された磁石と、前記フックを前記プレートと係合する方向へ付勢する付勢手段と、前記フックを前記プレートと係合した位置でロックするための水平方向へスライド可能な水平スライド部材と、前記磁石、前記フックおよび前記付勢手段を収容するケーシングと、前記ケーシングにその一端が収容され、前記ケーシングを所望の高さに調整する高さ調整機構と、前記スライド部材および前記高さ調整機構を外部から操作するための操作手段とから構成され、当該ケーシングが前記ドア内部に収納され得るように、前記ケーシングの厚さが、前記ドアの厚さよりも薄くなるように設定されている。【選択図】図１
2007297770.tif 000002
【特許請求の範囲】
【請求項１】
（ａ）床面に固定された台座と、
（ｂ）磁性体からなり、前記台座に上下に揺動自在に取り付けられたプレートと、
（ｃ）ドアに固定された磁石と、
（ｄ）フックを前記プレートと係合する方向へ付勢する付勢手段と、
（ｅ）前記フックを前記プレートと係合した位置でロックするための水平方向へスライド可能な水平スライド部材と、
（ｆ）前記磁石、前記フックおよび前記付勢手段を収容するケーシングと、
（ｇ）前記ケーシングにその一端が収容され、前記ケーシングを所望の高さに調整する高さ調整機構と、
（ｈ）前記スライド部材および前記高さ調整機構を外部から操作するための操作手段とから構成され、
当該ケーシングが前記ドア内部に収納され得るように、前記ケーシングの厚さが、前記ドアの厚さよりも薄くなるように設定されてなる戸当り。
【請求項２】
前記高さ調整機構が、
外部からの回転操作を受ける調節手段と、
該調節手段と連動した回転を水平な回転に伝達する回転力伝達手段１と、
該回転力伝達手段１の回転と連動して水平に回転する回転力伝達手段２と、
ネジ頭が前記ケーシングに収容され、かつ、該回転力伝達手段２に螺設されたネジとを有し、
該回転力伝達手段２が回転することによる、該回転力伝達手段２に螺設されたネジの上下移動に伴い、前記ケーシングが上下に移動する請求項１記載の戸当り。
【請求項３】
前記回転力伝達手段１は、
２つの歯車と、
該２つの歯車の間隔を所定の間隔に維持する固定軸とから構成されている請求項１または２記載の戸当り。
【請求項４】
前記回転力伝達手段１が、前記回転力伝達手段２の水平な回転に対して、垂直に回転していることを特徴とする請求項１、２または３記載の戸当り。
【発明の詳細な説明】
【技術分野】
【０００１】
本発明は、戸当りに関する。さらに詳しくは、ドア側の磁石と床面に揺動自在に設置された磁性体からなるプレートとを吸着させることにより、ドアを全開位置に固定することができ、さらに磁石に吸着されたプレートを仮止め、および所望により強固なロックを行うことができる戸当りであって、磁石がドアの表面に突出しないでドア内部に収納することができ、しかもドアと床との間隙のバラツキに柔軟に対応することができる戸当りに関する。
【背景技術】
【０００２】
一般的に用いられる床に立設される戸当りは、歩行者がつまづいたり、ドア周囲の家具が衝突するなどの不具合がある。そのため、従来より、床から出没自在の戸当りが種々検討されており、たとえば、磁石を用いた出没自在の戸当りなどがある。このような磁石を用いた戸当りは、たとえば特許文献１および２に記載されているように、床面に揺動自在に設置された磁性体プレートを、ドア側の磁石に吸着させることによりドアを全開位置に固定している。
【０００３】
また、本出願人は、さきに出願した特願２００２−１８３０３８号の明細書に記載されているように、ドア側の磁石に吸着されたプレートをさらに仮止めおよび強固なロックを両方行うことができる戸当りを提案している。
【０００４】
【特許文献１】特許第２９９０６０１号公報
【特許文献２】特開平１０−１１５１３９号公報
【発明の開示】
【発明が解決しようとする課題】
【０００５】
しかし、従来の磁石を用いた戸当りは、磁石がドアの表面に突出するため、美観上好ましくないという問題がある。とくに、磁石に仮止め機構およびロック機構を設けた場合、磁石全体がさらに大きくなるため、磁石が一層目立ってしまい美観上好ましくない。また、磁石をドア内部に形成された座ぐり穴などに埋め込んで固着する場合、ドアの取付誤差などによって生じる、ドアと床との間隙のバラツキに柔軟に対応することができないという問題がある。
【０００６】
本発明は、かかる問題を解消するためになされたものであり、ドア側の磁石に仮止め機構および所望によりロック機構が設けられた戸当りであって、磁石などがドアの表面に突出しないでドア内部に収納することができ、取り付け後であっても、ドアと床との間隙のバラツキに柔軟に対応することができる戸当りを提供することを目的としている。
【課題を解決するための手段】
【０００７】
本発明における戸当りは、（ａ）床面に固定された台座と、（ｂ）磁性体からなり、前記台座に上下に揺動自在に取り付けられたプレートと、（ｃ）ドアに固定された磁石と、（ｄ）前記フックを前記プレートと係合する方向へ付勢する付勢手段と、（ｅ）前記フックを前記プレートと係合した位置でロックするための水平方向へスライド可能な水平スライド部材と、（ｆ）前記磁石、前記フックおよび前記付勢手段を収容するケーシングと、（ｇ）前記ケーシングにその一端が収容され、前記ケーシングを所望の高さに調整する高さ調整機構と、（ｈ）前記スライド部材および前記高さ調整機構を外部から操作するための操作手段とから構成され、当該ケーシングが前記ドア内部に収納され得るように、前記ケーシングの厚さが、前記ドアの厚さよりも薄くなるように設定されてなることにより上記目的を達成する。
【０００８】
さらに、前記高さ調整機構が、外部からの回転操作を受ける調節手段と、該調節手段と連動した回転を水平な回転に伝達する回転力伝達手段１と、該回転力伝達手段１の回転と連動して水平に回転する回転力伝達手段２と、ネジ頭が前記ケーシングに収容され、かつ、該回転力伝達手段２に螺設されたネジとを有し、該回転力伝達手段２が回転することによる、該回転力伝達手段２に螺設されたネジの上下移動に伴い、前記ケーシングが上下に移動することが好ましい。
【０００９】
また、前記回転力伝達手段１は、２つの歯車と、該２つの歯車の間隔を所定の間隔に維持する固定軸とから構成されていることが好ましい。
【００１０】
また、前記回転力伝達手段１が、前記回転力伝達手段２の水平な回転に対して、垂直に回転していることを特徴とすることが好ましい。
【発明の効果】
【００１１】
本発明によれば、ドア側の磁石に仮止め機構および所望によりロック機構が設けられ、さらに、磁石の垂直位置を外部から操作するための操作手段を設けていることにより、磁石などがドアの表面に突出しないでドア内部に収納することができ、取り付け後であっても、ドアと床との間隙のバラツキに柔軟に対応することができる。
【発明を実施するための最良の形態】
【００１２】
本発明の戸当りは、（ａ）床面に固定された台座と、（ｂ）磁性体からなり、前記台座に上下に揺動自在に取り付けられたプレートと、（ｃ）ドアに固定された磁石と、（ｄ）前記フックを前記プレートと係合する方向へ付勢する付勢手段と、（ｅ）前記フックを前記プレートと係合した位置でロックするための水平方向へスライド可能な水平スライド部材と、（ｆ）前記磁石、前記フックおよび前記付勢手段を収容するケーシングと、（ｇ）前記ケーシングにその一端が収容され、前記ケーシングを所望の高さに調整する高さ調整機構と、（ｈ）前記スライド部材および前記高さ調整機構を外部から操作するための操作手段とから構成され、当該ケーシングが前記ドア内部に収納され得るように、前記ケーシングの厚さが、前記ドアの厚さよりも薄くなるように設定されている。
【００１３】
以下で、図面を参照しながら、本発明の戸当りを詳細に説明する。
【００１４】
図１は、本発明の戸当りの一実施の形態を示す斜視説明図、図２は、図１に示されている戸当り本体の斜視説明図、図３は、図１に示されている操作手段の斜視説明図、図４は、図１に示されている取り付け手段の斜視説明図、図５は、取り付け手段に挿入される磁石および回転力伝達手段の斜視説明図、図６は、図５に示されている磁石において、フックが閉じた状態の側面図、図７は、図５に示されている磁石において、フックを押し下げた状態の側面図、図８は、図５に示されている磁石の縦断面説明図、図９は、図５に示されている磁石において、フックを押し下げた状態の縦断面説明図、図１０は、磁石に設けられた高さ調節機構の縦断面説明図、図１１は、ロック機構のロックが解除された状態の縦断面説明図、図１２は、ロック機構のロックが解除された状態の縦断面説明図であり、フックを押し下げた場合を示す図、図１３は、ロック機構がロック状態の縦断面説明図である。
【００１５】
図１に示される戸当りは、大きく分けて床面に設置された本体部分５と、ドアＤに固着される取り付け手段２と、操作手段３と、磁石１とから構成されている。
【００１６】
本体部分５は、図１および図２に示されるように、床面にネジなどで固定されたナイロン、ポリアセタールなどのエンジニアリング樹脂や亜鉛合金などからなる台座４２に、鉄やスチールなどの磁性体からなるプレート４１が回転軸を回転中心として、揺動自在に取り付けられている。プレート４１の先端には、下方に突出する下方突起が設けられている。本体部分４の設置方法は、本発明においてとくに限定されるものではなく、図１に示されるように床面に設置してもよいし、または床に形成される埋設穴に埋設してもよい。
【００１７】
取り付け手段２、操作手段３および磁石１は、ドアＤに収納され得るように、ドアＤの厚さよりも薄くなるように設定されている。
【００１８】
取り付け手段２は、図２に示されるように、円筒状の磁石１の挿入部２１と、前記挿入部２１の一方の端に設けられた板状の固着部２２とから構成されている。また、挿入部２１の他方の端から円筒の軸方向に平行方向に、Ｕ字状の溝２１ａが２箇所対向して形成されている。この溝２１ａは、操作手段３を取り付け手段２に固定し、また、磁石の高さ調整を行う際に取り付け手段２の内部に納められた高さ調整機構１４の調節手段１４ｄにアクセスするための溝である。さらに、挿入部２１には、高さ調整機構１４の位置を固定するための高さ調整機構固定用ネジ穴２１ｂが形成されている。
【００１９】
操作手段３は、図３に示されるように、ロック機構のロックおよび解除を行うためのスイッチ部３１と、操作手段３をドアＤに固着するための操作手段固定部３２とから構成され、操作手段固定部には、磁石本体１３が収容されたケーシング１７の高さ方向の位置を調整する際に使用するケーシング位置調節穴３２ａが形成されている。
【００２０】
操作手段３の内部には、図１１に示されるように、スイッチ部３１つまみの向きに対してほぼ垂直に設けられた押出し部３１ａと、スイッチ部３１のつまみ方向と同軸上に設けられたスイッチ回転係止部３１ｂと、スイッチ部３１の回転軸となるスイッチ回転軸３４と、円柱状の突出部３３と、スイッチ部３１の自由な回転を止めるストッパー３２ｂとから構成されている。スイッチ部３１のつまみが押し下げられているか否か、すなわちドアがロックされているか否かを視認しやすくするために、スイッチ部３１の押出し部３１ａ外面の部分を赤色などで着色してもよい。
【００２１】
磁石１は、図８および図９に示されるように、ケーシング１７に磁石本体１３、プレート５１と係合するフック１２、当該フック１２をプレート４１と係合する方向へ付勢する圧縮コイルバネ１５、フック１２をプレート４１と係合した位置でロックするための水平スライド部材１１、およびケーシング１７の垂直位置を調節するための高さ調整機構１４の一端が収容されている。また、図６および図７に示されるように、ケーシング１７には、磁石１の上下移動に対応するための、高さ調整孔１ａが形成されている。
【００２２】
ケーシング１７の厚さは、図１に示されるように、ケーシング１７がドアＤ内部に収納され得るように、ドアＤの厚さよりも薄くなるように設定されている。
【００２３】
磁石本体１３は永久磁石からなり、ケーシング１７内部に収容されており、当該ケーシング１７の壁を介してプレート４１に磁力をおよぼすように構成されている。
【００２４】
フック１２は、図６および図７に示されるように、プレート４１の先端の下方突起と係合し得る上向きに突出したかぎ部１２ｃを有している。フック１２のほぼ中央部には、圧縮コイルバネ１５の上端に係合する係合突起１２ｄが突設されている。また、フック１２の上部には、図８に示されるように、ロック機構係止部１２ａが凸状に設けられている。
【００２５】
フック１２を用いてプレート４１を仮止めすることにより、磁石１の吸着力の強弱にかかわらず容易かつ確実にドアＤの仮止めが可能になる。このフック１２によりプレート４１が磁石に吸着した状態では、フック１２は圧縮コイルバネ１５の付勢力に抗して上下に移動し得るので、プレート４１は引き抜き可能な程度の弱い係止力で一時的に磁石に係止される。
【００２６】
水平スライド部材１１は、磁石１のケーシング１７に形成された孔に圧縮コイルバネ１６を介して取り付けられている。水平スライド部材１１には、少なくとも1個の凸部１１ａが設けられ、また該凸部１１ａの背面には、圧縮コイルバネ１６を収納するための収納空間１１ｂが形成されている。凸部１１ａは、フック１２のロック機構係止部１２ａの間に移動することにより、フック１２をプレート４１に係合した状態から下降できないようにロックすることができる。また、ロック状態を解除する場合には、水平スライド部材１１に形成された収納空間１１ｂに収められた圧縮コイルバネ１６の付勢力により、元の位置に戻ることが可能である。
【００２７】
高さ調整機構１４は、図１０に示されるように、ドライバーなどにより外部からの回転操作を受ける調節手段１４ｄと、高さ調整機構１４を取り付け手段２の磁石挿入部２１に固定する高さ調整機構固定部（１）１４ｅおよび高さ調整機構固定部（２）１４ｂと、該高さ調整機構固定部（１）１４ｅおよび（２）１４ｂを連通する高さ調整機構固定用ネジ穴１４ｆと、該高さ調整機構固定用ネジ穴１４ｆに螺嵌して高さ調整機構１４の位置を固定する高さ調整機構固定ネジ１４ｉと、調節手段１４ｄと連動した垂直な回転を水平な回転に伝達する回転力伝達手段（１）と、歯車状で中心にネジを螺設するための孔が形成され、回転力伝達手段（１）の垂直な回転と連動して水平に回転する回転力伝達手段（２）１４ａと、ネジ頭がケーシングに収容され、かつ、回転力伝達手段（２）１４ａに螺設された高さ調整ネジ１４ｃとから構成されている。さらに、回転力伝達手段（１）は、対向するように設けられた２つの歯車１４ｇと、２つの歯車１４ｇの間隔を所定の間隔に維持する固定軸１４ｈとから構成されている。回転力伝達手段（１）を構成する２つの歯車は、固定軸１４ｈを介して対向する位置に固定されているので、調節する際の操作方向が変わったとしても、柔軟に対応することができる。
【００２８】
以下で、磁石１の垂直位置を調節する際の動作について説明する。
【００２９】
利用者が、ドライバーで操作手段３に形成されたケーシング位置調節孔３２ａを介して調節手段１４ｄを回転操作すると、調節手段１４ｄの垂直な回転に連動し、回転力伝達手段（１）を構成する一方の歯車が回転し、この一方の歯車に係合するように設けられた回転力伝達手段（２）１４ａが水平に回転する。さらに、回転力伝達手段（２）１４ａに係合するように設けられた回転力伝達手段（１）を構成している他方の歯車が連動して回転する。回転力伝達手段（２）１４ａの水平な回転により、回転力伝達手段（２）１４ａに螺設された高さ調整ネジ１４ｃが上下いずれかの方向に移動する。この時、高さ調整ネジ１４ｃのネジ頭はケーシング１７内に収容されているので、高さ調整ネジ１４ｃの垂直方向の移動と共にケーシング１７は垂直方向に移動する。ここで、高さ調整機構１４は取り付け手段２に固着されているので上下に移動せず、高さ調整ネジ１４ｃのみが上下方向に移動する。高さ調整ネジ１４の上下移動に伴い、ケーシング１７およびケーシング１７内に収容された部材（すなわち磁石１）が上下方向に移動する。このような、磁石１の垂直位置の調整を行うことで、ドアＤと床との間隙のバラツキに柔軟に対応することが可能である。たとえば、通常２．５ｍｍ程度に設定されているドアと床との間隙が、ドアの取り付け位置が上方へずれたことによって間隔が３．５ｍｍになった場合でも、ケーシング１７を高さ調整孔１ａに沿って１ｍｍ程度下降させればドアの上昇分を相殺し、磁石１を所定の高さへ調整することができる。
【００３０】
本実施の形態では、図１に示されるような右開きのドアＤのように磁石１の左側に操作手段３が配置された例をあげて説明しているが、本発明はこれに限定されるものではなく、たとえば、磁石１の操作手段３を右側に配置することにより、図示されない左開きのドアに対しても前述の右開きのドアＤと同様に用いることができる。また、本実施の形態の戸当りでは、ドアＤが左右いずれに開く場合にも対応できるように、図４に示されるように、操作手段３を取り付け手段２に固定するための取り付け手段２に形成された溝２１ａと、高さ調整機構１４の調節手段１４ｄが１対対向する位置に設けられているので、左右いずれの方向からでも、フック１２のロック操作および磁石１の高さ調整を行うことが可能である。したがって、図１に示されるような右開きのドアＤのように磁石２の左側に操作手段３が配置される場合だけでなく、図示されない左開きのドアのように磁石１の右側に操作手段が配置される場合でも、操作手段３を外部から操作することにより、フックのロック操作および磁石１の高さ調整を行うことができる。
【００３１】
つぎに、フック１２の上下移動を制限するロック機構について説明する。
【００３２】
ロック機構は操作手段３のスイッチ部３１と、突出部３３と、磁石１のケーシング１７の内部に収容されたフック１２に設けられたロック機構係止部１２ａと、水平スライド部材１１と、圧縮コイルバネ１６とから構成されている。
【００３３】
以下で、ロック機構の動作について説明する。
【００３４】
図１１は、プレート４１の下方突起が、フック１２のかぎ部１２ｃと係合していない状態であって、ロック機構のロックが解除されているときのロック機構の縦断面図であり、操作手段３のスイッチ部３１のつまみは上方を向いており、突出部３３が操作手段３内に収まった状態である。それゆえ、磁石１の水平スライド部材１１は、突出部３３により水平方向に押出されることなく、フック１２に設けられたロック機構係止部１２ａは、水平スライド部材１１の突部１１ａに係止されることなく、フック１２が上下方向に可動である（図１２参照）。
【００３５】
プレート４１の下方突起がフック１２のかぎ部１２ｃに係合すると、フック１２は若干下方へ下がり、水平スライド部材１１に設けられた凸部１１ａが、ちょうどロック機構係止部１２ａの間に入りこめる状態になる。
【００３６】
ロック機構がロック状態の場合には図１３に示されるように、スイッチ部３１のつまみを利用者が下方へ押し下げることにより、スイッチ部３１の動きに連動して、スイッチ部３１の後ろ側に設けられた突出部３３が後方（すなわち水平スライド部材１１を押出す方向）へ突出する。突出部３３の先端は、水平スライド部材１１を水平方向にずらす。そして、水平スライド部材１１に設けられた凸部１１ａが、フック１２に設けられた２つのロック機構係止部１２ａ間に入り込む。このことにより、ロック機構係止部１２ａが上下に移動することを水平スライド部材１１の凸部１２ａは係止し、フック１２は上下方向に移動することができず、ロックされた状態になる。
【００３７】
さらに、利用者がスイッチ部３１のつまみを上方へ向け、ロック状態を解除した場合には、突出部３３に取り付けられた圧縮コイルバネの付勢力で突出部３３が操作手段３内部に収容された状態に戻り、水平スライド部材１１に設けられた圧縮コイルバネ１６による付勢力により水平スライド部材１１は元の位置に戻る。これにより、フック１２は上下に移動可能な状態になる。
【００３８】
以下で、本実施の形態の戸当りの使用方法の一例を説明する。
【００３９】
ドアＤと台座４２を介して床に取り付けられた本体部分４が離れている場合には、本体部分４のプレート４１は床に伏せた状態になっている。
【００４０】
ついで、図１に示されるように、ドアＤを本体部分１付近までドアを開けると、床に伏していたプレート４１が、ドアＤに取り付けられた磁石１内の磁石本体１３の磁力によって立ち上がり、磁石１の下面に吸着する。さらに、ドアＤを仮止めする場合には、ドアＤをさらに開放させれば、プレート４１の先端に設けられた下方突起がフック１２のかぎ部１２ｃに係合することにより、容易かつ確実にドアＤの仮止めを行うことができる。したがって、荷物の搬入を行なう場合など、一時的にドアＤを全開位置に保持したいときに便利である。
【００４１】
また、プレート４１の先端に設けられた下方突起がフック１２のかぎ部１２ｃに係合した状態の場合には、フック１２が若干下方に移動するため、フック１２に設けられたロック機構係止部１２ａの間を水平スライド部材１１がスライド可能な状態になる。
【００４２】
ドアＤの仮止めを解除するときは、プレート４１の先端に設けられた下方突起がフック１２のかぎ部１２ｃに係合した状態からドアＤをそのまま閉じるだけで、プレート４１はフック１２との係合が解除されるとともに磁石１の下面から容易に抜け出し、ドアＤの仮止めは解除される。
【００４３】
なお、ドアＤがフック１２によって仮止めされていなくても、ドアＤを全開位置まで開ければ、プレート４１がドアＤに取り付けられた磁石１に吸着するので、ドアＤは弱い力で全開位置に保持され、フック８よりもさらに弱い保持力でドアＤを仮止めすることができる。
【００４４】
一方、強風が吹いているときなどドアＤを強固に開放状態に維持したい場合には、利用者が、図１３に示されるように、操作手段３のスイッチ部３１のつまみを下方へ押し下げると、スイッチ部３１がスイッチ回転軸３４を中心に回動し、スイッチ回転係止部３１ｂがストッパー３２ｂを操作手段の外側へ向けて、一時的に変形させながら、ストッパー３２ｂを超えて回転する。この回転に伴って、スイッチ部３１に設けられた押出し部３１ａは突出部３３をケーシング１７の内側へ向けて付勢する。
【００４５】
スイッチ部３１が所定のロック位置に押し下げられると、図１３に示されるように、スイッチ回転係止部３１ｂがストッパー３２ｂにより係止され、スイッチ部３１および突出部３３は所定のロック位置で停止する。
【００４６】
このように、突出部３３が突出することによって、図１３に示されるように、突出部３３が水平スライド部材１１を水平方向に押圧し、水平スライド部材１１の凸部１１ａをフック１２のロック機構係止部１２ａの間に移動させ、フック１２をプレート４１と係合した位置で強固にロックすることができる。その結果、ドアＤは、全開位置に容易かつ確実にロックされ、ドアＤに風が当っても不意に閉まることがなくなる。
【００４７】
一方、ドアＤのロックを解除したい場合には、図１３に示される状態から、スイッチ部３１を上方へ押し上げれば、図１１に示されるように、突出部３３は、押出し部３１ａからの付勢力を受けなくなり、突出部３３に取り付けられた圧縮コイルバネの付勢力によって操作手段３の内部に収容され、さらに、水平スライド部材１１は、水平スライド部材１１に取り付けられた圧縮コイルバネ１６の付勢力により初期位置まで戻され、フック１２のロックは解除される。
【００４８】
フック１２のロック解除後は、仮止め状態に戻るため、若干の力を加えることで、容易にドアＤを閉めることができる。そして、ドアＤを閉めたとき、プレート４１はフック１２から引き抜かれるため、フック１２は若干上方へ移動して図１１の状態に戻るため、水平スライド部材１１の水平移動ならびにスイッチ部３１の操作ができなくなる。
【００４９】
上記実施形態によれば、ドア側の磁石に仮止め機構および所望によりロック機構が設けられ、さらに、磁石の垂直位置を外部から操作するための操作手段を設けていることにより、磁石などがドアの表面に突出しないでドア内部に収納することができ、取り付け後であっても、ドアと床との間隙のバラツキに柔軟に対応することができる。
【００５０】
また、上記実施の形態の中では、回転力伝達手段１の歯車１４ｇの回転軸と回転力伝達手段２の回転軸とが垂直な場合について説明したが、本発明はこれに限らず、回転力伝達手段１の歯車１４ｇの回転軸と回転力伝達手段２の回転軸とが垂直以外の角度を成していても構わない。たとえば、回転力伝達手段１の歯車１４ｇ回転軸と回転力伝達手段２の回転軸とが４５℃の角度を成していたとしても、歯車１４ｇの回転力が回転力伝達手段２に伝達されていればよい。
【図面の簡単な説明】
【００５１】
【図１】本発明の戸当りの一実施の形態を示す斜視説明図である。
【図２】図１に示されている戸当り本体の斜視説明図である。
【図３】図１に示されている操作手段の斜視説明図である。
【図４】図１に示されている取り付け手段の斜視説明図である。
【図５】取り付け手段に挿入される磁石および回転力伝達手段の斜視説明図である。
【図６】図５に示されている磁石において、フックが閉じた状態の側面図である。
【図７】図５に示されている磁石において、フックを押し下げた状態の側面図である。
【図８】図５に示されている磁石の縦断面説明図である。
【図９】図５に示されている磁石において、フックを押し下げた状態の縦断面説明図である。
【図１０】磁石に設けられた高さ調節機構の縦断面説明図である。
【図１１】ロック機構のロックが解除された状態の縦断面説明図である。
【図１２】ロック機構のロックが解除された状態の縦断面説明図であり、フックを押し下げた場合を示す図である。
【図１３】ロック機構がロック状態の縦断面説明図である。
【符号の説明】
【００５２】
１    磁石
３    操作手段
１１    水平スライド部材
１３    磁石本体（磁石）
１４    高さ調整機構
１４ａ  回転力伝達手段２
１４ｃ  高さ調整ネジ（ネジ）
１４ｄ  調節手段
１４ｇ  歯車
１４ｈ  固定軸
１５    圧縮コイルバネ（付勢手段）
１７    ケーシング
４１    プレート
４２    台座
【図１】
2007297770.tif 000003
【図２】
2007297770.tif 000004
【図３】
2007297770.tif 000005
【図４】
2007297770.tif 000006
【図５】
2007297770.tif 000007
【図６】
2007297770.tif 000008
【図７】
2007297770.tif 000009
【図８】
2007297770.tif 000010
【図９】
2007297770.tif 000011
【図１０】
2007297770.tif 000012
【図１１】
2007297770.tif 000013
【図１２】
2007297770.tif 000014
【図１３】
2007297770.tif 000015